(57)【特許請求の範囲】
【請求項１】
上面が開口した箱状の本体と、印刷表示部を有し前記本体の上面に載置されて前記開口を覆うガラス製のトッププレートとを備えた加熱調理器において、
前記トッププレートの前記印刷表示部の一部に透明部を設け、
前記本体の内部には、前記透明部を下方から覆い、前記トッププレートに印刷された他の印刷表示と共に前記印刷表示部を構成する装飾シートを設け、
前記透明部が設けられる部位は、その下方に機種毎に異なる機能を有する部品が配置されている部位であり、
前記機種毎に異なる機能を有する部品は、コイルベースに載置された加熱コイルであり、
前記装飾シートは、着色されて前記トッププレートと前記加熱コイルとの間に配置され、前記トッププレートと前記コイルベースと共に固定されていることを特徴とする加熱調理器。
【請求項２】
前記装飾シートは、着色されて前記トッププレートと前記加熱コイルとの間に配置され、前記トッププレートと前記コイルベースとの固定時に共に固定されることを特徴とする請求項１記載の加熱調理器。
【請求項３】
装飾シートとコイルベースとは、互いに締結され、組立体として構成されていることを特徴とする請求項１又は２記載の加熱調理器。
【請求項４】
前記加熱コイルには、温度センサーが備えられており、
前記装飾シートの前記温度センサーに対応する位置には、開口部が設けられていることを特徴とする請求項１〜３のいずれか１項に記載の加熱調理器。
【請求項５】
前記温度センサーには、センサーカバーが設けられており、前記センサーカバーは、前記加熱コイルより上方に突出し、この突出した部位が前記装飾シートの前記開口部に挿入されていることを特徴とする請求項４記載の加熱調理器。
【請求項６】
前記装飾シートは、コイルベースより上方に突出する厚みを備えた弾性体で構成され、前記トッププレートと前記加熱コイルとの間に圧縮状態で設置されていることを特徴とする請求項５記載の加熱調理器。
【発明の詳細な説明】
【技術分野】
【０００１】
本発明は、裏面に印刷表示部を有するガラス製のトッププレートを備えた加熱調理器に関する。
【背景技術】
【０００２】
この種の加熱調理器は、上面が開口した箱状の本体と、本体の上面に載置された金属製の上枠とを備えている。上枠には、中央にガラス製のトッププレートが設置されており、トッププレート下方には、加熱コイルが配置されている。
【０００３】
トッププレートには、その裏面における加熱コイルに対向した部位に、鍋などの被加熱調理器具を載置する位置を示す円などが印刷されている。トッププレートと加熱コイルとの位置がズレると、被加熱物と加熱コイルとの位置がズレるため、加熱性能が低下する。
【０００４】
また、近年は安全性や調理性能を向上させるために、温度調整を行うためのサーミスタや赤外線センサーといった温度検知用の温度センサーが加熱コイルに備えられており、加熱コイルとトッププレートとのズレは温度センサーの誤検知にもつながり、安全性や調理性能が低下する。
【０００５】
そこで、加熱コイルを下方より支持するコイル固定台を上枠と一体化し、またはコイル固定台をトッププレートの下面に接着剤にて固定することで、加熱コイルのトッププレートに対する位置ズレを低減するようにしたものが提案されている（例えば、特許文献１参照）。
【先行技術文献】
【特許文献】
【０００６】
【特許文献１】特許第５６３６８５８号公報（図２、図４、図５）
【発明の概要】
【発明が解決しようとする課題】
【０００７】
しかしながら、加熱コイルを下方より支持するコイル固定台を上枠と一体化し、またはコイル固定台をトッププレートの下面に接着剤にて固定したものであっても、印刷側の要因によって加熱コイルのトッププレートに対する位置ズレが発生する場合がある。
【０００８】
例えば、トッププレートへの印刷は、複数（使用する色の数の分）の版下を用いて複数層の印刷を施して細かい形状（文字や模様）を印刷している。そのため、印刷そのものの難易度が高く、１層ずつの印刷ズレが起こり易い。
【０００９】
また、機種によっては、搭載する加熱コイルのグレードが変わるため、その位置を表示する火力表示、及び温度センサーの位置を表示するセンサー表示も変わる。そのため、従来は機種毎に異なる火力表示、及びセンサー表示が施されたトッププレートを用意しているのが実状であり、高価なトッププレートに汎用性を持たせることができなかった。さらに、異機種間での版下の共通化、又は版下の削減ができず、コストが高くついていた。
【００１０】
本発明は、前記のような課題の少なくとも１つを解決するためになされたもので、異機種間での版下の共通化、又は版下の削減ができるようにすることを主目的とする。
【課題を解決するための手段】
【００１１】
本発明に係る加熱調理器は、上面が開口した箱状の本体と、印刷表示部を有し本体の上面に載置されて開口を覆うガラス製のトッププレートとを備えた加熱調理器において、トッププレートの印刷表示部の一部に透明部を設け、本体の内部には、透明部を下方から覆い、トッププレートに印刷された他の印刷表示と共に印刷表示部を構成する装飾シートを設け、透明部が設けられる部位は、その下方に機種毎に異なる機能を有する部品が配置されている部位であり、機種毎に異なる機能を有する部品は、コイルベースに載置された加熱コイルであり、装飾シートは、着色されてトッププレートと加熱コイルとの間に配置され、トッププレートとコイルベースと共に固定されているものである。
【発明の効果】
【００１２】
本発明の加熱調理器においては、トッププレートの印刷表示部の一部に透明部を設け、本体の内部には、透明部を下方から覆い、トッププレートに印刷された他の印刷表示と共に印刷表示部を構成する装飾シートを設けたので、異機種間での版下の共通化、又は版下の削減ができる。
【図面の簡単な説明】
【００１３】
【図１】本発明の実施の形態１に係る加熱調理器を示す斜視図である。
【図２】本発明の実施の形態１に係る加熱調理器の原理を説明するための模式図である。
【図３】本発明の実施の形態１に係る加熱調理器の加熱コイル部の縦断面図である。
【図４】本発明の実施の形態２，３に係る加熱調理器を示す縦断面図である。
【図５】本発明の実施の形態４に係る加熱調理器の装飾シートを示す平面図である。
【図６】本発明の実施の形態４に係る加熱調理器の加熱コイル部の縦断面図である。
【図７】本発明の実施の形態５に係る加熱調理器の加熱コイル部の縦断面図である。
【図８】本発明の実施の形態６に係る加熱調理器の加熱コイル部の縦断面図である。
【発明を実施するための形態】
【００１４】
以下、本発明に係る加熱調理器を、誘導加熱による調理鍋載置部を左右手前に二口と中央奥側に一口設けた、ビルトイン型（組込み型）の加熱調理器（ＩＨクッキングヒーター）に適用した場合を例に説明する。なお、以下に示す図面の形態によって本発明が限定されるものではない。また、各図において、同一の構成には同一の符号を付している。
【００１５】
実施の形態１．
図１は本発明の実施の形態１に係る加熱調理器を示す斜視図である。
図１に示すように、加熱調理器１は、上面が開口した箱状の本体２と、本体２の上面に載置された金属製の上枠３とを備えている。上枠３において、中央には、本体２の上面の開口を覆うガラス製のトッププレート４、手前側（矢印Ｙ１方向）には、各種の操作入力を行う操作部５、奥側（矢印Ｙ２方向）には、吸排気口を覆う吸排気口カバー６が設置されている。そして、上枠３において、手前側と奥側との間のトッププレート４には、鍋などの被加熱物が載置される載置部７が、例えば３個設けられている。また、本体２には、例えばグリル部８も設けられている。
【００１６】
図２は本発明の実施の形態１に係る加熱調理器の原理を説明するための模式図である。図３は本発明の実施の形態１に係る加熱調理器の加熱コイル部の縦断面図である。
本体２において、載置部７の下方には、図２及び図３に示すように、被加熱物を加熱する加熱部となる加熱コイル（誘導加熱コイル）９が設置されている。加熱部は、インバータ回路（図示せず）から出力される高周波の交流電圧によって、加熱部の加熱コイル９に流れる電流により発生する高周波磁界により、加熱部の上方の載置部７に載置される被加熱物を誘導加熱するものである。そして、操作部５が操作されることにより、加熱部の火力が調整される。
【００１７】
トッププレート４には、その載置部７の裏面に印刷表示部１１が設けられている。印刷表示部１１には、一部に透明部が設けられており、本体２の内部には、透明部を下方から覆い、トッププレート４に印刷された他の印刷表示と共に印刷表示部１１を構成する装飾シート１２が設けられている。印刷表示部１１における透明部が設けられている部位は、その下方に機種毎に異なる機能を有する部品が配置されている部位である。
【００１８】
機種毎に異なる機能を有する部品とは、例えばコイルベース１３に載置された加熱コイル９である。また、加熱コイル９には、サーミスタや赤外線センサーで構成される複数（３つ）の温度検知用の温度センサー１４が備えられている。コイルベース１３は、トッププレート４又は上枠３に固定される。
【００１９】
本実施の形態１に係る加熱調理器１は、以上のように構成され、上面が開口した箱状の本体２と、裏面に印刷表示部１１を有し本体２の上面に載置されて開口を覆うガラス製のトッププレート４とを備えた加熱調理器１において、トッププレート４の印刷表示部１１の一部に透明部を設け、本体２の内部には、透明部を下方から覆い、トッププレート４に印刷された他の印刷表示と共に印刷表示部１１を構成する装飾シート１２を設けたので、機種毎に異なる表示態様は装飾シート１２に印刷し、機種毎に共通の表示態様はトッププレート４に印刷することができる。そのため、異機種間での版下の共通化が図れ、又は版下を削減することができる。さらに、印刷ズレを抑制でき、細かい形状や部品との位置あわせの精度を上げることができる。
【００２０】
また、印刷表示部１１における透明部が設けられる部位は、その下方に機種毎に異なる機能を有する部品（例えば加熱コイル９）が配置されている部位としたので、印刷版下や高価なトッププレート４の共通化が図れ、コストを削減することができる。
なお、ここではトッププレート４の印刷表示部１１を、トッププレート４の載置部７の裏面に設けたものを例に挙げて説明したが、トッププレート４の印刷表示部１１は、必ずしも載置部７の裏面に設ける必要はなく、例えば載置部７の表面に設けても良いものである。
【００２１】
実施の形態２．
図４は本発明の実施の形態２に係る加熱調理器を示す縦断面図であり、図中、前述の実施の形態１と同一機能部分には同一符号を付してある。なお、説明にあたっては、前述の図２を参照するものとする。
図４に示すように、本実施の形態２の加熱調理器２１において、機種毎に異なる機能を有する部品とは、コイルベース２３に載置された加熱コイル１９である。ここでは、トッププレート４に印刷された他の印刷表示と共に印刷表示部１１を構成する装飾シート２２が、着色されてトッププレート４と加熱コイル１９との間に配置され、トッププレート４とコイルベース２３との固定時に共に固定するようにしたものである。
【００２２】
すなわち、本実施の形態２の加熱調理器２１は、コイルベース２３が、下方よりコイルばね２４に支持され、トッププレート４と加熱コイル１９との間の隙間を保持するスペーサー２５を介してトッププレートの裏面に押し当てられて保持されている。すなわち、装飾シート２２が、コイルばね２４によってトッププレート４と加熱コイル１９との間に挟み付けられ保持されている。
【００２３】
このように、本実施の形態２の加熱調理器２１においても、トッププレート４に印刷された他の印刷表示と共に印刷表示部１１を構成する装飾シート１２を設けたので、異機種間での版下の共通化が図れ、又は版下を削減することができる。
【００２４】
また、本実施の形態２の加熱調理器２１においては、装飾シート２２が、コイルばね２４によってトッププレート４と加熱コイル１９との間に挟み付けられ保持されているので、装飾シート２２とトッププレート４とコイルベース２３との組付が容易となる。
【００２５】
また、本実施の形態２の加熱調理器２１においては、装飾シート２２が着色されているので、様々な色合いを出すことができる。このため、印刷色調の幅が広がり、部分的に色調を変えることができ、デザインの自由度が広がる。
【００２６】
実施の形態３．
本発明の実施の形態３に係る加熱調理器は、前述の図４において、装飾シート２２とコイルベース２３とを、互いに締結し、組立体として構成したものである。
【００２７】
本実施の形態３の加熱調理器においては、装飾シート２２とコイルベース２３とを、互いに締結し、組立体として構成しているので、コイルベース２３の動きに装飾シート２２が追従することができ、位置ズレが軽減される。
【００２８】
実施の形態４．
図５は本発明の実施の形態４に係る加熱調理器の装飾シートを示す平面図である。図６は本発明の実施の形態４に係る加熱調理器の加熱コイル部の縦断面図である。なお、各図中、前述の実施の形態２と同一機能部分には同一符号を付してある。また、説明にあたっては、ここでも前述の図２を参照するものとする。
本実施の形態４の加熱調理器は、加熱コイル１９に光学系の赤外線センサーで構成される温度センサー３４が備えられており、装飾シート３２の温度センサー３４に対応する位置には、開口部３２ａが設けられているものである。
【００２９】
本実施の形態４の加熱調理器においては、装飾シート３２の温度センサー３４に対応する位置に開口部３２ａを設けているので、効率良く温度検知が可能となる。また、開口部３２ａから温度センサー３４が見えるので、温度センサー３４の捩れなどを確認することができる。
【００３０】
実施の形態５．
図７は本発明の実施の形態５に係る加熱調理器の加熱コイル部の縦断面図であり、図中、前述の実施の形態２と同一機能部分には同一符号を付してある。なお、説明にあたっては、前述の図５及び図６を参照するものとする。
本実施の形態５の加熱調理器は、温度センサー３４（図６）に、センサーカバー３５が設けられており、センサーカバー３５は、加熱コイル２９より上方に突出し、この突出した部位が装飾シート３２の開口部３２ａに挿入されているものである。
【００３１】
本実施の形態５の加熱調理器においては、開口部３２ａに挿入されるセンサーカバー３５によって、加熱コイル２９に対する装飾シート３２の位置が規定されるので、加熱コイル２９に対する装飾シート３２の位置合わせの精度を上げることができる。
【００３２】
実施の形態６．
図８は本発明の実施の形態６に係る加熱調理器の加熱コイル部の縦断面図であり、図中、前述の実施の形態２と同一機能部分には同一符号を付してある。なお、説明にあたっては、前述の図６及び図７を参照するものとする。
本実施の形態６の加熱調理器は、開口部３２ａを有する装飾シート４２を、コイルベース１３より上方に突出する厚みを備えた弾性体で構成し、加熱コイル２９とコイルベース１３との間に圧縮状態で設置されるようにしている。また、トッププレート４の加熱コイル２９に対応する部位の印刷表示部１１を全て透明部として構成し、透明部を下方から覆う装飾シート４２によって印刷表示を行うようにしたものである。
【００３３】
本実施の形態６の加熱調理器においては、開口部３２ａを有する装飾シート４２を、コイルベース１３より上方に突出する厚みを備えた弾性体で構成し、加熱コイル２９とコイルベース１３との間に圧縮状態で設置されるようにしているので、装飾シート４２とトッププレート４との間に隙間がなくなり、温度センサー３４（図６）に風が当たらなくなり、温度検知の精度が上がる。
【００３４】
トッププレート４の加熱コイル２９に対応する部位の印刷表示を全て装飾シート４２によって行うようにしているので、さらに版下を削減することができる。
【符号の説明】
【００３５】
１，２１  加熱調理器、２  本体、３  上枠、４  トッププレート、５  操作部、６  吸排気口カバー、７  載置部、８  グリル部、９，１９，２９  加熱コイル、１１  印刷表示部、１２，２２，３２，４２  装飾シート、１３，２３  コイルベース、１４，３４  温度センサー、２４  コイルばね、２５  スペーサー、３２ａ  開口部、３５  センサーカバー。
【図１】
0006419004.tif 000002
【図２】
0006419004.tif 000003
【図３】
0006419004.tif 000004
【図４】
0006419004.tif 000005
【図５】
0006419004.tif 000006
【図６】
0006419004.tif 000007
【図７】
0006419004.tif 000008
【図８】
0006419004.tif 000009